(57)【特許請求の範囲】
【請求項１】
赤、緑、青の発光色の３種の蛍光体層を表示ラインを画定する行電極の延長方向に沿って配置し、前記表示ライン内の前記各蛍光体層に対応しかつ隣接する赤、緑、青の３つの単位発光領域を１つの画素に対応付けてフルカラー表示を行うように構成されたマトリクス型表示装置であって、
前記表示ライン内において、前記画素内の３つの単位発光領域が赤、緑、青の順に配列された画素と前記画素内の３つの単位発光領域が青、緑、赤の順に配列された画素とが交互に配置されていることを特徴とするマトリクス型表示装置。
【請求項２】
前記行電極は、透明導電膜とそれに積層された金属膜とから構成され、表示面側の基板に配置され、前記蛍光体層は、前記表示面側の基板と放電空間を介して対向する背面側の基板に配置されていることを特徴とする請求項１記載のマトリクス型表示装置。
【発明の詳細な説明】
【０００１】
【発明の属する技術分野】
本発明は、フルカラー表示を行うプラズマディスプレイパネル（ＰＤＰ）、液晶表示装置（ＬＣＤ）、エレクトロルミネッセンス表示装置（ＥＬＤ）等のマトリクス型表示装置に関し、特に電極と蛍光体との間の配置関係に特徴を有する。
【０００２】
【従来の技術】
近年、表示装置の大型化に伴い、薄型の表示装置が要求され、各種の薄型の表示装置が提供されている。ＰＤＰ、ＬＣＤ、ＥＬＤ等の表示装置において、フルカラーの表示は、例えば、Ｒ（赤）、Ｇ（緑）、Ｂ（青）の互いに異なる３色を適宜組み合わせることによって行われる。マトリクス表示を行う場合には、各画素のそれぞれに上述の３色に対応した３つの単位発光領域が対応付けられる。マトリクス表示方式の表示装置の内で、蛍光体によるフルカラー表示の表示に適したものの１つとして、ＡＣ駆動方式の面放電型ＰＤＰが知られている。
【０００３】
例えば、３電極構造の面放電型ＰＤＰは、表示面側の基板に互いに平行に隣接配置された複数の行電極対と行電極対を放電空間に対して被覆する誘電体層を有し、表示面側の基板と放電空間を介して対向配置された背面側の基板に行電極対と直交する方向に配置され各交差部にて単位発光領域（放電セル）を画定する複数の列電極と列電極を覆う互いに異なる発光色の蛍光体層とを有する。
【０００４】
図３は、従来の面放電型ＰＤＰの画素と行電極対の配置関係を模式的に示す平面図である。同図において、横方向に並ぶ一列の単位発光領域ＥＵが表示における１本のラインＬに対応し、ライン毎に一対の行電極Ｘ、Ｙが放電ギャップを介して配置されている。即ち、表示ラインＬは、一対の行電極Ｘ、Ｙによって画定される。
【０００５】
また、行電極Ｘ、Ｙと直交する方向に列電極Ａ（Ａｉ，Ａｉ＋１，Ａｉ＋２，・・・）が配置され、各単位発光領域ＥＵは、列電極Ａと行電極Ｘ、Ｙの各交差部にて画定される。
各画素ＥＧは、横方向に並ぶ隣接する３つの単位発光領域ＥＵから構成され、この３つの単位発光領域ＥＵは、左から順にＲ（赤）の単位発光領域ＥＵ
（Ｒ）、Ｇ（緑）の単位発光領域ＥＵ（Ｇ）、Ｂ（青）の単位発光領域ＥＵ
（Ｂ）とされている。
即ち、蛍光体層８は、表示ラインＬに沿って、左方から右方に向って８Ｒ、８Ｇ、８Ｂ（符号のアルファベットは発光色に対応する）の順に設けられている。
【０００６】
かかるＰＤＰの駆動において、表示単位期間は、アドレス期間と維持放電期間とに分かれる。アドレス期間では、選択書込みアドレス法又は選択消去アドレス法により、列電極に表示データパルスを印加すると共に行電極対の一方に走査パルスを印加して１ラインずつ順に点灯すべき単位発光領域ＥＵのみに壁電荷を蓄積させる。
【０００７】
維持放電期間では、行電極Ｘ、Ｙに交互に放電維持パルスを印加して点灯すべき単位発光領域ＥＵのみに維持放電が生じる。単位時間当たりの放電維持パルスの印加回数を適宜設定することにより、表示の輝度を調整することができる。
【０００８】
【発明が解決しようとする課題】
ところで、アドレス期間において、各列電極間に電位差が生じると、各列電極間の寄生容量により無効電力が発生する。特にＲ（赤）、Ｇ（緑）、Ｂ（青）の単色表示の場合無効電力が大きくなる。例えば、Ｒ（赤）の単色表示の場合、Ｒ（赤）に対応する列電極と隣接するＧ（緑）に対応する列電極との間の寄生容量及び隣接するＢ（青）に対応する列電極との間の寄生容量がそれぞれ等価的に負荷になり、無効電力が大きくなる。
【０００９】
このような無効電力の増大を招く各列電極間の寄生容量を低減するためには隣接する列電極間の電極間隔を十分大きな値に設定する必要がある。このため、列電極間の電極間隔の縮小による高精細化が困難であった。
【００１０】
本発明は、上記の問題を解決するためになされたものであり、無効電力の増大を抑制し高精細化することができるマトリクス型表示装置を提供することを目的とする。
【００１１】
【課題を解決するための手段】
請求項１記載の発明は、赤、緑、青の発光色の３種の蛍光体層を表示ラインを画定する行電極の延長方向に沿って配置し、表示ライン内の各蛍光体層に対応しかつ隣接する赤、緑、青の３つの単位発光領域を１つの画素に対応付けてフルカラー表示を行うように構成されたマトリクス型表示装置であって、表示ライン内において、画素内の３つの単位発光領域が赤、緑、青の順に配列された画素と画素内の３つの単位発光領域が青、緑、赤の順に配列された画素とが交互に配置されていることを特徴とする。
【００１２】
また、請求項２記載の発明は、請求項１記載のマトリクス型表示装置において、行電極は、透明導電膜とそれに積層された金属膜とから構成され、表示面側の基板に配置され、蛍光体層は、表示面側の基板と放電空間を介して対向する背面側の基板に配置されていることを特徴とする。
【００１３】
【作用】
本発明は以上のように構成したので、ある画素領域を赤（又は青）のみで表示する場合に、その領域の各画素が有する赤（又は青）の蛍光体層に対応する単位発光領域の列電極間に電位差が生じるが、その単位発光領域の両側に隣接する単位発光領域の一方は、赤（又は青）の蛍光体層に対応する単位発光領域が配置されるため電位差を生じないので、その単位発光領域との間においては寄生容量が発生せず、マトリクス型表示装置の単色発光時における無効電力の増大が抑制される。
【００１４】
【発明の実施の形態】
図１は、３電極構造の反射型ＡＣＰＤＰの構造を示す図である。同図に示されるようにＰＤＰ１１は、放電空間７を介して対向配置された一対のガラス基板１、２の表示面側のガラス基板１の内面に互いに平行に隣接配置された一対の行電極（維持電極）Ｘ、Ｙ、行電極Ｘ、Ｙを覆う壁電荷形成用の誘電体層５、誘電体層５を覆うＭｇＯからなる保護層６がそれぞれ設けられている。尚、行電極Ｘ、Ｙは、それぞれ透明導電膜からなる透明電極４とその導電性を補うために積層された金属膜からなるバス電極（金属電極）３とから構成されている。
【００１５】
一方、背面側のガラス基板２の内面上に行電極Ｘ、Ｙと交差する方向に設けられ、放電空間７を区画する障壁１０、各障壁１０間のガラス基板２上に行電極Ｘ、Ｙと交差する方向に配列された列電極（アドレス電極）Ａ、及び各列電極、障壁１０の側面を覆う赤、緑、青の発光色の蛍光体層８（Ｒ）、８（Ｇ）、８（Ｂ）がそれぞれ設けられている。そして、放電空間７にはネオンに少量のキセノンを混合した放電ガスが封入されている。上記の列電極及び行電極対の各交点において放電セル（単位発光領域）が形成される。
【００１６】
図２は、本発明の一実施形態による面放電型ＰＤＰの画素と行電極対の配置関係を模式的に示す平面図である。
同図において、横方向に並ぶ一列の単位発光領域ＥＵが表示における１本のラインＬに対応し、ライン毎に一対の行電極Ｘ、Ｙが放電ギャップを介して配置されている。即ち、表示ラインＬは、一対の行電極Ｘ、Ｙによって画定される。
また、行電極Ｘ、Ｙと直交する方向に列電極Ａ（Ａｉ，Ａｉ＋１，Ａｉ＋２，・・・）が配置され、各単位発光領域ＥＵは、列電極Ａと行電極Ｘ、Ｙの各交差部にて画定される。
【００１７】
各画素ＥＧは、横方向に並ぶ隣接する３つの単位発光領域ＥＵから構成され、３つの単位発光領域ＥＵは、Ｒ（赤）の単位発光領域ＥＵ（Ｒ）、Ｇ（緑）の単位発光領域ＥＵ（Ｇ）、Ｂ（青）の単位発光領域ＥＵ（Ｂ）からなる。
【００１８】
また、左から順にＲ（赤）の単位発光領域ＥＵ（Ｒ）、Ｇ（緑）の単位発光領域ＥＵ（Ｇ）、Ｂ（青）の単位発光領域ＥＵ（Ｂ）からなる画素ＥＧと、左から順にＢ（青）の単位発光領域ＥＵ（Ｂ）、Ｇ（緑）の単位発光領域ＥＵ（Ｇ）、Ｒ（赤）の単位発光領域ＥＵ（Ｒ）からなる画素ＥＧとが表示ラインＬに沿って交互に配置されている。
【００１９】
即ち、蛍光体層８は、表示ラインＬに沿って、左方から右方に向って８Ｒ、８Ｇ、８Ｂ、８Ｂ、８Ｇ、８Ｒ、８Ｒ（符号のアルファベットは発光色に対応する）の順に設けられている。
【００２０】
このように隣接する画素ＥＧ内のＲ（赤）の単位発光領域ＥＵ（Ｒ）及びＢ（青）の単位発光領域ＥＵ（Ｂ）を互いに隣合うようにしているので、例えばＲ（赤）の単色表示の場合、Ｒ（赤）に対応する列電極と隣接するＧ（緑）に対応する列電極との間の寄生容量のみが等価的に負荷になり、無効電力が半減する。
【００２１】
同様にＢ（青）の単色表示の場合、Ｂ（青）に対応する列電極と隣接するＧ（緑）に対応する列電極との間の寄生容量のみが等価的に負荷になり、無効電力が半減する。
【００２２】
尚、視感度の高いＧ（緑）の単位発光領域ＥＵ（Ｇ）の配列は変わっていないので解像度等が劣化することはない。
【００２３】
【発明の効果】
本発明は以上のように構成したため、ある画素領域を赤（又は青）のみで表示する場合に、その領域の各画素が有する赤（又は青）の蛍光体層に対応する単位発光領域の列電極間に電位差が生じるが、その単位発光領域の両側に隣接する単位発光領域の一方は、赤（又は青）の蛍光体層に対応する単位発光領域が配置されるため電位差を生じないので、その単位発光領域との間においては寄生容量が発生せず、マトリクス型表示装置の単色発光時における無効電力の増大が抑制される。また、従来困難であった列電極間の電極間隔の縮小することができ高精細表示が可能となる。
【図面の簡単な説明】
【図１】３電極構造の反射型ＡＣＰＤＰの構造を示す図である。
【図２】本発明の一実施形態による面放電型ＰＤＰの画素と行電極対の配置関係を模式的に示す平面図である。
【図３】従来の面放電型ＰＤＰの画素と行電極対の配置関係を模式的に示す平面図である。
【符号の説明】
１・・・・ガラス基板
２・・・・ガラス基板
３・・・・バス電極（金属電極）
４・・・・透明電極
５・・・・誘電体層
６・・・・保護層
７・・・・放電空間
８・・・・蛍光体層
１０・・・障壁
１１・・・ＰＤＰ
【図１】
0003559143.tif 000002
【図２】
0003559143.tif 000003
【図３】
0003559143.tif 000004